(57)【要約】【課題】  温度変動に対する利得特性の変化を抑制できる可変利得増幅回路、それを搭載したＩＣ、無線通信システムを実現する。【解決手段】  外部からの入力制御電圧によって利得を変化させて、入力信号を上記利得により増幅した増幅信号を出力するアンプ回路１を設ける。温度変動による前記利得の変動を相殺するように前記入力制御電圧を調節した調整制御電圧を入力制御電圧として前記アンプ回路１に出力する制御電圧調整回路２を設ける。【選択図】  図１
2005229507.tif 000002
【特許請求の範囲】
【請求項１】
外部からの入力制御電圧によって利得を変化させて、入力信号を上記利得により増幅した増幅信号を出力するアンプ回路と、
温度変動による前記利得の変動を相殺するように前記入力制御電圧を調節した調整制御電圧を入力制御電圧として前記アンプ回路に出力する制御電圧調整回路と、を有していることを特徴とする可変利得増幅回路。
【請求項２】
請求項１記載の可変利得増幅回路において、
前記制御電圧調整回路は、第一電流源を備えた第一差動増幅回路を有し、
上記第一電流源は、それに流れる電流が絶対温度の変動に応じて変化するように設定されていることを特徴とする可変利得増幅回路。
【請求項３】
請求項１記載の可変利得増幅回路において、
前記制御電圧調整回路は、第一電流源を備えた第一差動増幅回路を有し、
上記第一電流源は、それに流れる電流が絶対温度の二乗に比例して変化するように設定されていることを特徴とする可変利得増幅回路。
【請求項４】
請求項１ないし３の何れか１項に記載の可変利得増幅回路において、
前記アンプ回路は、第二電流源を備えた第二差動増幅回路を有し、
上記第二電流源は、それに流れる電流が絶対温度に比例するように設定されていることを特徴とする可変利得増幅回路。
【請求項５】
請求項１記載の可変利得増幅回路において、
前記アンプ回路が、
入力信号端子がベースに接続された第１のトランジスタと、
反転入力信号端子がベースに接続された第２のトランジスタと、
前記第１のトランジスタのエミッタに接続された第１の電流源と、
前記第２のトランジスタのエミッタに接続された第２の電流源と、
前記第１のトランジスタのエミッタと、前記第２のトランジスタのエミッタ間に接続されたエミッタ抵抗と、
前記第１のトランジスタのコレクタに、エミッタが接続され、コレクタが出力信号端子に接続された、第３のトランジスタと、
前記第１のトランジスタのコレクタに、エミッタが接続され、コレクタが電源と接続された、第４のトランジスタと、
前記第３のトランジスタのコレクタと電源間に接続された第１の負荷抵抗と、
前記第２のトランジスタのコレクタに、エミッタが接続され、コレクタが電源と接続された、第５のトランジスタと、
前記第２のトランジスタのコレクタに、エミッタが接続され、コレクタが反転出力信号端子と接続された、第６のトランジスタと、
前記第６のトランジスタのコレクタと電源間に接続された第２の負荷抵抗と、によって構成されており、
前記制御電圧調整回路が、
制御電圧端子がベースに接続され、コレクタが共通に前記第３のトランジスタのベースと前記第６のトランジスタのベースとに接続された、第７のトランジスタと、
基準電圧端子がベースに接続され、コレクタが共通に前記第４のトランジスタのベースと前記第５のトランジスタのベースとに接続された、第８のトランジスタと、
前記第７のトランジスタのエミッタと前記第８のトランジスタのエミッタとに接続された第３の電流源と、
前記第７のトランジスタのコレクタとＶＣＣ間に接続された第３の負荷抵抗と、
前記第８のトランジスタのコレクタとＶＣＣ間に接続された第４の負荷抵抗とによって構成されていて、
前記第１の電流源の電流、及び前記第２の電流源の電流が絶対温度に比例する特性をもたせ、前記第３の電流源の電流が絶対温度の二乗に比例する特性をもたせることにより、温度に依存しない利得特性を有する可変利得増幅回路。
【請求項６】
請求項１ないし５のいずれか１項に記載の可変利得増幅回路を搭載したことを特徴とするＩＣ。
【請求項７】
請求項６に記載のＩＣを搭載したことを特徴とする無線通信システム。
【発明の詳細な説明】
【技術分野】
【０００１】
本発明は、集積回路で用いられる利得の制御が可能な、特に無線送受信用高周波集積回路に用いられ、温度変動に対して安定性を向上させた可変利得増幅回路、それを搭載したＩＣ、無線通信システムに関するものである。
【背景技術】
【０００２】
従来、携帯電話等の移動体通信といった無線通信システムでは、受信する受信信号の信号強度が種々であり、かつ移動に伴い変化するので、上記受信信号の強度を最適なレベルに調整するために、可変利得増幅回路が用いられている。そのような可変利得増幅回路が、特許文献１に開示されている。
【０００３】
上記可変利得増幅回路の要部は、図３に示すように、入力信号端子ＩＮ１がベースに接続された第１のトランジスタＱ１と、反転入力信号端子ＩＮ２がベースに接続された第２のトランジスタＱ２と、前記第１のトランジスタＱ１のエミッタに接続された第１の電流源と、前記第２のトランジスタＱ２のエミッタに接続された第２の電流源と、前記第１のトランジスタのエミッタと、前記第２のトランジスタのエミッタ間に接続されたエミッタ抵抗ＲEとを有している。
【０００４】
また、上記可変利得増幅回路は、前記第１のトランジスタＱ１のコレクタに、エミッタが接続され、コレクタが出力信号端子ＯＵＴ１に接続された、第３のトランジスタＱ３と、前記第１のトランジスタＱ１のコレクタに、エミッタが接続され、コレクタが電源と接続された、第４のトランジスタＱ４と、前記第３のトランジスタＱ３のコレクタと電源間に接続された第１の負荷抵抗とを備えている。
【０００５】
さらに、上記可変利得増幅回路は、前記第２のトランジスタＱ２のコレクタに、エミッタが接続され、コレクタが電源と接続された、第５のトランジスタＱ５と、前記第２のトランジスタＱ２のコレクタに、エミッタが接続され、コレクタが反転出力信号端子ＯＵＴ２と接続された、第６のトランジスタＱ６と、前記第６のトランジスタＱ６のコレクタと電源間に接続された第２の負荷抵抗とを有している。
【０００６】
ここで、第１の電流源の電流値と第２の電流源の電流値は等しく共通でＩ0と表し、第１の負荷抵抗の抵抗値と第２の負荷抵抗の抵抗値は等しく共通でＲL1と表す。
【０００７】
トランジスタＱ３及びトランジスタＱ６のベースに基準電圧ＶB1を印加して、トランジスタＱ４及びトランジスタＱ５のベースに制御電圧ＶC1を印加する。ＶC1がＶB1より低い条件では、トランジスタＱ４とトランジスタＱ５には電流が流れない一方、トランジスタＱ３とトランジスタＱ６に電流が流れる為、負荷抵抗ＲL1を通してＯＵＴ１、ＯＵＴ２に増幅信号が出力される。
【０００８】
ＶC1をＶB1より大きくしていくとトランジスタＱ４とトランジスタＱ５に電流が流れだし、トランジスタＱ３とトランジスタＱ６に流れる電流が減る為に利得が減少してくる。制御電圧ＶC1に対する利得ＡVは以下の式（１）の様になる。
【０００９】
【数１】
2005229507.tif 000003
【００１０】
ＶT＝ｋＴ／ｑ：熱電圧
ｋ：ボルツマン定数
ｑ：電子の単位電荷
Ｔ：絶対温度
【特許文献１】特開昭５８−１１４６１４号公報（公開日：１９８３年７月８日）
【発明の開示】
【発明が解決しようとする課題】
【００１１】
しかしながら、上記従来の構成では、上記利得の式（１）に絶対温度Ｔに比例する熱電圧ＶTが存在する。そのため、従来例の可変利得増幅回路の利得は温度によって変化する。
【００１２】
携帯電話等の無線通信システムのように、送受信を切り替えるシステムでは、受信してから受信信号を最適なレベルに調整するまでの時間が限られている。そのため、可変利得増幅回路の利得制御システムとして、以下の方法をとることがある。
(I) 入力された信号のレベルを検知する
(II)最適なレベルにするためにはレベルをいくら変化させればよいか計算する。
(III)(II)で求めた可変レベルとΔ利得／Δ制御電圧の値から最適な制御電圧値を計算す
る。
(IV)制御電圧値を(III)で求めた値にする。
【００１３】
この方法をとる際には、Δ利得／Δ制御電圧が常に一定である必要があり、従来例の様
に温度によってΔ利得／Δ制御電圧が変化する場合、短時間に信号を最適なレベルに調整
できないことがあるという問題を生じる。
【００１４】
本発明者らは、制御電圧を、温度の二乗に比例する電流を電流源とした差動増幅回路に入力し、その差動増幅回路の出力を可変利得増幅回路の制御信号（制御電圧）として使用することにより、Δ利得／Δ制御電圧の温度依存性を防止して上記問題を解決した。
【課題を解決するための手段】
【００１５】
本発明に係る可変利得増幅回路は、上記課題を解決するために、外部からの入力制御電圧によって利得を変化させて、入力信号を上記利得により増幅した増幅信号を出力するアンプ回路と、温度変動による前記利得の変動を相殺するように前記入力制御電圧を調節した調整制御電圧を入力制御電圧として前記アンプ回路に出力する制御電圧調整回路と、を有していることを特徴としている。
【００１６】
上記構成によれば、前記制御電圧調整回路を、温度変動による前記利得の変動を相殺するように前記入力制御電圧を調節した調整制御電圧を入力制御電圧として前記アンプ回路に出力するように設定することで、アンプ回路からの増幅信号の温度依存性を相殺できて、温度変動への依存性を軽減した利得電圧の増幅信号を出力できる。
【００１７】
上記可変利得増幅回路では、前記制御電圧調整回路は、第一電流源を備えた第一差動増幅回路を有し、上記第一電流源は、それに流れる電流が絶対温度の変動に応じて変化するように設定されていることが好ましい。
【００１８】
上記構成によれば、第一電流源に流れる電流を絶対温度の変動に応じて変化するように設定することにより、アンプ回路からの増幅信号の温度依存性を相殺できて、温度変動への依存性を抑制した利得電圧の増幅信号を出力できる。
【００１９】
上記可変利得増幅回路においては、前記制御電圧調整回路は、第一電流源を備えた第一差動増幅回路を有し、上記第一電流源は、それに流れる電流が絶対温度の二乗に比例して変化するように設定されていることが望ましい。
【００２０】
上記構成によれば、第一電流源に流れる電流を絶対温度の二乗に比例して変化するように設定することによって、アンプ回路からの増幅信号の温度依存性を相殺できて、温度変動への依存性を回避した利得電圧の増幅信号を出力できる。
【００２１】
上記可変利得増幅回路では、前記アンプ回路は、第二電流源を備えた第二差動増幅回路を有し、上記第二電流源は、それに流れる電流が絶対温度に比例するように設定されていてもよい。
【００２２】
上記構成によれば、第二電流源に流れる電流が絶対温度に比例するように設定することで、アンプ回路からの増幅信号の温度依存性を相殺できて、温度変動への依存性を回避した利得電圧の増幅信号を出力できる。
【００２３】
上記可変利得増幅回路においては、前記アンプ回路が、入力信号端子がベースに接続された第１のトランジスタと、反転入力信号端子がベースに接続された第２のトランジスタと、前記第１のトランジスタのエミッタに接続された第１の電流源と、前記第２のトランジスタのエミッタに接続された第２の電流源と、前記第１のトランジスタのエミッタと、前記第２のトランジスタのエミッタ間に接続されたエミッタ抵抗と、前記第１のトランジスタのコレクタに、エミッタが接続され、コレクタが出力信号端子に接続された、第３のトランジスタと、前記第１のトランジスタのコレクタに、エミッタが接続され、コレクタが電源と接続された、第４のトランジスタと、前記第３のトランジスタのコレクタと電源間に接続された第１の負荷抵抗と、前記第２のトランジスタのコレクタに、エミッタが接続され、コレクタが電源と接続された、第５のトランジスタと、前記第２のトランジスタのコレクタに、エミッタが接続され、コレクタが反転出力信号端子と接続された、第６のトランジスタと、前記第６のトランジスタのコレクタと電源間に接続された第２の負荷抵抗と、によって構成されており、前記制御電圧調整回路が、制御電圧端子がベースに接続され、コレクタが共通に前記第３のトランジスタのベースと前記第６のトランジスタのベースとに接続された、第７のトランジスタと、基準電圧端子がベースに接続され、コレクタが共通に前記第４のトランジスタのベースと前記第５のトランジスタのベースとに接続された、第８のトランジスタと、前記第７のトランジスタのエミッタと前記第８のトランジスタのエミッタとに接続された第３の電流源と、前記第７のトランジスタのコレクタとＶＣＣ間に接続された第３の負荷抵抗と、前記第８のトランジスタのコレクタとＶＣＣ間に接続された第４の負荷抵抗とによって構成されていて、前記第１の電流源の電流、及び前記第２の電流源の電流が絶対温度に比例する特性をもたせ、前記第３の電流源の電流が絶対温度の二乗に比例する特性をもたせることにより、温度に依存しない利得特性を有するものでもよい。
【００２４】
本発明のＩＣは、前記課題を解決するために、上記の何れかに記載の可変利得増幅回路を搭載したことを特徴としている。上記構成によれば、出力される増幅信号の温度依存性が軽減された可変利得増幅回路を搭載したことにより、上記構成を、例えば携帯電話等の移動体通信に用いることで、温度変動に起因する通信不良を防止できる。
【００２５】
本発明の無線通信システムは、前記課題を解決するために、上記記載のＩＣを搭載したことを特徴としている。上記構成によれば、出力される増幅信号の温度依存性が軽減された可変利得増幅回路を有するＩＣを搭載したことにより、上記構成を、例えば携帯電話等の移動体通信に用いることで、温度変動に起因する通信不良を防止できる。
【発明の効果】
【００２６】
本発明に係る可変利得増幅回路は、以上のように、外部からの入力制御電圧によって利得を変化させて、入力信号を上記利得により増幅した増幅信号を出力するアンプ回路と、温度変動による前記利得の変動を相殺するように前記入力制御電圧を調節した調整制御電圧を入力制御電圧として前記アンプ回路に出力する制御電圧調整回路とを有している構成である。
【００２７】
それゆえ、上記構成は、調節した調整制御電圧によって、アンプ回路からの増幅信号の温度依存性を相殺できて、温度変動に依存しない利得電圧の増幅信号を出力できる。それゆえ、上記構成は、温度変動に依存しない増幅信号を出力できるから、携帯電話などの移動体通信機といった通信分野の可変利得増幅回路に用いると、通信を安定化できるという効果を奏する。
【発明を実施するための最良の形態】
【００２８】
本発明の一実施形態について図１及び図２に基づいて説明すると以下の通りである。すなわち、本発明に係る可変利得増幅回路の実施形態は、図１に示すように、従来例と同様のアンプ回路１と、制御電圧調整回路２とによって構成されている。なお、背景技術の欄に記載した従来例の可変利得増幅回路と同様な機能を有する部材については、同一の符号を付与してそれらの詳細な説明を省いた。
【００２９】
上記アンプ回路１は、各入力信号端子ＩＮ１、ＩＮ２、各トランジスタＱ１〜Ｑ６と、各定電流源（第二電流源）Ｉ0と、エミッタ抵抗ＲEと、各負荷抵抗ＲL1と、各出力信号端子ＯＵＴ１、ＯＵＴ２によって構成されている。
【００３０】
各定電流源Ｉ0とエミッタ抵抗ＲEとは、差動増幅回路を構成する各トランジスタＱ１〜Ｑ２用のエミッタ抵抗、つまり差動増幅回路用負荷抵抗となっており、各定電流源Ｉ0とを高抵抗に設定できることで、各トランジスタＱ１〜Ｑ２による差動増幅回路の利得幅を大きくできるものとなっている。本実施の形態では、各定電流源Ｉ0は、従来と相違しており、その詳細については後述する。
【００３１】
各トランジスタＱ３〜Ｑ６は、双差動増幅回路を構成している。各負荷抵抗ＲL1は、各出力信号端子ＯＵＴ１、ＯＵＴ２にコレクタがそれぞれ接続された各トランジスタＱ３〜Ｑ６のコレクタと電源線であるＶＣＣとの間に挿入された出力用負荷抵抗である。
【００３２】
このようなアンプ回路１では、各入力信号端子ＩＮ１、ＩＮ２にそれぞれ入力された入力信号の差が、各トランジスタＱ３、Ｑ６の各ベースに入力された各制御電圧ＶＣ２、ＶＢ２により調整された利得により増幅された増幅信号となって、各出力信号端子ＯＵＴ１、ＯＵＴ２から出力される。なお、上記各入力信号は、通常、一方が基準入力信号で、他方が利得の調整が必要な入力信号である。また、各出力信号端子ＯＵＴ１、ＯＵＴ２からの各増幅信号は互いに逆相となっており、一方の増幅信号のみが必要な場合は、不要な増幅信号側の負荷抵抗ＲL1を省くことができる。
【００３３】
前記制御電圧調整回路２は、定電流源（第一電流源）Ｉ1と、各トランジスタＱ７、Ｑ８と、各負荷抵抗ＲL2とによって構成されている。定電流源Ｉ1については後述する。各トランジスタＱ７、Ｑ８のエミッタには、定電流源Ｉ1が共通に接続されている。各負荷抵抗ＲL2は、各トランジスタＱ７、Ｑ８のコレクタに対しそれぞれ接続された出力負荷抵抗である。
【００３４】
また、制御電圧調整回路２では、トランジスタＱ７のベースに入力制御電圧ＶC1が入力され、トランジスタＱ８のベースに入力制御電圧ＶB1が入力されている。トランジスタＱ７のコレクタにおいて一方の負荷抵抗ＲL2により発生する調整制御電圧ＶC2は、アンプ回路１のトランジスタＱ４及びＱ５のベースに接続されていると共に、トランジスタＱ８のコレクタにおいて他方の負荷抵抗ＲL2により発生する調整制御電圧ＶB2は、アンプ回路１のトランジスタＱ３及びＱ６のベースに接続されている。このような各調整制御電圧ＶC2、ＶB2によって、アンプ回路１の利得が制御されている。
【００３５】
そして、本実施形態においては、定電流源Ｉ0は、定電流源Ｉ0の出力電流が絶対温度Ｔに比例し、定電流源Ｉ1は、定電流源Ｉ1の出力電流が絶対温度Ｔの二乗に比例するように、それぞれ設定されている。
【００３６】
次に、本発明に係る可変利得増幅回路の動作について説明する。まず、トランジスタＱ８のベースに基準電圧ＶB1を、トランジスタＱ７のベースには比較電圧ＶC1をそれぞれ入力制御電圧として印加する。
【００３７】
トランジスタＱ４及びトランジスタＱ５のベース電圧がＶC2、トランジスタＱ３及びトランジスタＱ６のベース電圧がＶB2であるので、
ＶC1、ＶB1、ＶC2、ＶB2の関係は以下の式（２）の様になる。
【００３８】
【数２】
2005229507.tif 000004
【００３９】
上記ＶC2−ＶB2がトランジスタＱ４、Ｑ５及びＱ３、Ｑ６のベースに印加されるので、前記従来例の利得の式（１）より、図１の可変利得増幅回路の利得ＡVは以下の式（３）になる。
【００４０】
【数３】
2005229507.tif 000005
【００４１】
ここで、Ｉ0は絶対温度Ｔに比例し、Ｉ1は絶対温度Ｔの二乗に比例するので
Ｉ0＝αＴ、Ｉ1＝βＴ2  (α、β：任意の定数)      …（４）
と表すことができ、利得ＡVは、下式（５）にて、
【００４２】
【数４】
2005229507.tif 000006
【００４３】
と表せる。
【００４４】
上記式（５）より明らかなように、電流値を絶対温度Ｔの変動に比例させた定電流源Ｉ0、及び、電流値を絶対温度Ｔの二乗に比例させた定電流源Ｉ1の少なくとも一方を用いることで、絶対温度Ｔに比例する熱電圧の利得ＡVへの影響は相殺されて図１に示す本発明に係る可変利得増幅回路の利得ＡVの温度依存性は軽減される。より好ましくは、電流値を絶対温度Ｔの変動に比例させた定電流源Ｉ0、及び、電流値を絶対温度Ｔの二乗に比例させた定電流源Ｉ1の双方を用いることで、絶対温度Ｔに比例する熱電圧の利得ＡVへの影響は、より確実に相殺されて、図１に示す本発明に係る可変利得増幅回路の利得ＡVの温度依存性は回避される。
【００４５】
よって、上記可変利得増幅回路は、強度が種々に変化する受信信号の利得を迅速に調整する必要がある、携帯電話等の移動体通信といった通信分野に好適に使用できて、通信を安定化できる。
【００４６】
次に、図２に絶対温度の二乗に比例する定電流源Ｉ1を作り出す一実施例を表す。まず、定電流源Ｉ1では、各定電流源ＩA、ＩBと、各トランジスタＱＡ〜ＱＤとを有している。定電流源ＩAは、その出力電流が絶対温度Ｔに比例する一方、定電流源ＩBは、その出力電流が温度に依存しない定電流源である。
【００４７】
定電流源ＩAは、電源線ＶＣＣとトランジスタＱＡのコレクタとの間に接続されている。トランジスタＱＡのベースは、そのコレクタに接続されている。トランジスタＱＡのエミッタは、トランジスタＱＢのコレクタに接続されている。トランジスタＱＢのベースは、そのコレクタに接続されている。トランジスタＱＢのエミッタはアースに接続されている。トランジスタＱＣのコレクタは電源線ＶＣＣに接続されている。トランジスタＱＣのベースは、トランジスタＱＡのコレクタおよびベースに接続されている。トランジスタＱＣのエミッタは、定電流源ＩBの一方の端子に接続されている。定電流源ＩBの他方の端子はアースに接続されている。トランジスタＱＤのコレクタは、前述の各トランジスタＱ７、Ｑ８の各エミッタに接続されている。トランジスタＱＤのベースは、トランジスタＱＣのエミッタに接続されている。トランジスタＱＣのエミッタはアース接地されている。
【００４８】
このような定電流源Ｉ1において、トランジスタＱＡのベースエミッタ電圧をＶBE(QA)、コレクタ電流をＩC(QA)、トランジスタＱＢのベースエミッタ電圧をＶBE(QB)、コレクタ電流をＩC(QB)、トランジスタＱＣのベースエミッタ電圧をＶBE(QC)、コレクタ電流をＩC(QC)、トランジスタＱＤのベースエミッタ電圧をＶBE(QD)、コレクタ電流をＩC(QC)とすると、
ＶBE(QA)＋ＶBE(QB)＝ＶBE(QC)＋ＶBE(QD)
より
ＩC(QA)ＩC(QB)＝ＩC(QC)ＩC(QD)
となり、
ＩA＝ＩC(QA)＝ＩC(QB)、ＩB＝ＩC(QC)、Ｉout＝ＩC(QD)
なので、
Ｉout＝ＩA2／ＩB＝                …（６）
となる。
【００４９】
ここで、ＩAは絶対温度に比例し、ＩBは温度に依存しないので、定電流源Ｉ1において、定電流源ＩAに対し、二段に互いに直列に接続した各トランジスタＱＡ、ＱＢが直列に接続されることで、定電流源Ｉ1のＩoutは絶対温度Ｔの二乗に比例するものとなる。
【００５０】
よって、図２のＩoutを図１のＩ1として使用すれば、温度依存性のない可変利得増幅回路を実現することができる。なお、図１の定電流源Ｉ0や、図２の定電流源ＩAのような絶対温度に比例する定電流源は、既知の技術であるバンドギャップ電流源を利用することにより実現できる。
【００５１】
このような本発明に係る可変利得増幅回路は、主にトランジスタといった半導体から構成できるため、ＩＣ化が容易であり、そのようにＩＣ化されて小型化されたものは、携帯電話などの無線通信システムに容易に搭載してもちいることができる。
【００５２】
なお、上記実施の形態では、各トランジスタＱ１〜Ｑ８に、ｎｐｎ型トランジスタを用いた例を挙げたが、ｐｎｐ型トランジスタや、ＦＥＴで構成することもでき、また、それらを組み合わせて構成してもよい。
【産業上の利用可能性】
【００５３】
本発明の可変利得増幅回路、それを搭載したＩＣ、それを搭載した無線通信システムは、温度変動への依存性が軽減された利得特性の増幅信号を出力することが可能となるので、温度変動が大きく、温度変動による通信不良が発生し易い、室外等にてよく使用される携帯電話などの移動体通信といった通信分野の用途に適用できる。
【図面の簡単な説明】
【００５４】
【図１】本発明の可変利得増幅回路に係る一実施形態を示す回路図である。
【図２】図１の定電流源Ｉ1の一実施例の回路図である。
【図３】従来技術を示すものであり、可変利得増幅回路の回路図である。
【符号の説明】
【００５５】
１    アンプ回路
２    制御電圧調整回路
Ｉ0、Ｉ1    定電流源
Ｑ１〜Ｑ８  トランジスタ
ＲL1、ＲL2  負荷抵抗
ＲE  エミッタ抵抗
【図１】
2005229507.tif 000007
【図２】
2005229507.tif 000008
【図３】
2005229507.tif 000009